【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
所定条件の成立に基づいて遊技者に利益を付与すべきか否かの判定を行う当落判定手段と、該当落判定手段によって当選判定がなされたことに基づいて遊技者に利益を付与する利益付与状態に制御する利益付与状態制御手段と、遊技に伴う演出を行う演出手段と、前記当落判定手段の判定結果に基づいて前記演出手段による演出を制御する演出制御手段と、前記演出手段による所定の演出態様に応じて、電気的駆動源の駆動に基づき遊技者に視認可能に動作する可動体と、を備えた遊技機であって、
前記可動体は、前記電気的駆動源の駆動状態においても遊技者が指触可能に構成されると共に、当該可動体の動作を検出するための動作検出手段が設けられ、
前記演出制御手段は、前記動作検出手段による前記可動体の動作検出に基づいて複数の選択肢のうちいずれかを遊技者に選択させる選択演出を前記演出手段で実行する選択演出制御手段を含み、
前記遊技機は、前記選択演出の実行時に、予め定めた選択方法で前記複数の選択肢のうちいずれかの選択肢を遊技者による前記可動体の指触操作を代行して選択すべく、前記電気的駆動源を駆動制御して前記可動体を動作させる選択代行動作制御手段を備えることを特徴とする遊技機。
【請求項２】
前記選択代行動作制御手段は、前記可動体の動作中に遊技者による当該可動体の指触操作が前記動作検出手段によって検出されると、遊技者による当該可動体の指触操作を優先すべく、前記電気的駆動源の駆動を停止する操作優先制御手段を含むことを特徴とする請求項１記載の遊技機。
【手続補正２】
【補正対象書類名】明細書
【補正対象項目名】０００５
【補正方法】変更
【補正の内容】
【０００５】
（解決手段１）
上記目的を達成するために、本発明の遊技機は、所定条件の成立に基づいて遊技者に利益を付与すべきか否かの判定を行う当落判定手段と、該当落判定手段によって当選判定がなされたことに基づいて遊技者に利益を付与する利益付与状態に制御する利益付与状態制御手段と、遊技に伴う演出を行う演出手段と、前記当落判定手段の判定結果に基づいて前記演出手段による演出を制御する演出制御手段と、前記演出手段による所定の演出態様に応じて、電気的駆動源の駆動に基づき遊技者に視認可能に動作する可動体と、を備えた遊技機であって、前記電気的駆動源の駆動状態においても遊技者が指触可能に構成されると共に、当該可動体の動作を検出するための動作検出手段が設けられ、前記演出制御手段は、前記動作検出手段による前記可動体の動作検出に基づいて複数の選択肢のうちいずれかを遊技者に選択させる選択演出を前記演出手段で実行する選択演出制御手段を含み、前記遊技機は、前記選択演出の実行時に、予め定めた選択方法で前記複数の選択肢のうちいずれかの選択肢を遊技者による前記可動体の指触操作を代行して選択すべく、前記電気的駆動源を駆動制御して前記可動体を動作させる選択代行動作制御手段を備えることを特徴とする。
この場合、所定条件の成立に基づく当落判定手段の当落判定において当選判定がなされると、利益付与状態制御手段によって利益付与状態に制御して遊技者に利益を付与するという遊技内容にできる。また、このような遊技内容となる遊技機において、演出手段による所定の演出態様に応じて視認可能に動作する可動体が遊技者の指触可能に設けられるので、電気的駆動源の駆動に基づいた可動体の動きを遊技者自体が直接体感することができ、ひいては可動体の動きに対する興趣の低下を抑制することができる。また、指触可能な可動体の動きを動作検出手段で検出可能に設け、その動作検出手段による可動体の動作検出、言い換えれば遊技者の意思に基づいた可動体の指触操作に応じて、演出手段の演出内容に影響を与える制御、具体的には、演出手段の選択演出で選択肢を決定する制御を行うので、遊技機の動作に遊技者の意思が介入するという斬新な遊技性を生じさせることができる。
また、この構成によれば、演出手段による選択演出の実行時に、遊技者が可動体を指触操作することなく、予め定めた選択方法で選択肢を代行して選択するようになっている。このため、選択演出時に可動体を指触操作することが面倒な作業であると思うような遊技者に対して、そのような操作を強いることがなく、快適な遊技内容を提供することができる。
（解決手段２）
解決手段１において、前記選択代行動作制御手段は、前記可動体の動作中に遊技者による当該可動体の指触操作が前記動作検出手段によって検出されると、遊技者による当該可動体の指触操作を優先すべく、前記電気的駆動源の駆動を停止する操作優先制御手段を含むことを特徴とする。
この場合、可動体の動作中に遊技者による可動体の指触操作が動作検出手段によって検出されると、遊技者による可動体の指触操作を優先すべく、電気的駆動源の駆動を停止することができる。
【手続補正３】
【補正対象書類名】明細書
【補正対象項目名】０００６
【補正方法】変更
【補正の内容】
【０００６】
（解決手段３）
上記目的を達成するために、本発明の遊技機は、遊技領域が区画形成された遊技盤と、操作ハンドルの操作に応じて前記遊技領域内に遊技球を発射する球発射手段と、前記遊技領域内に配置されて遊技球の入賞が可能な入賞口と、該入賞口に入賞した遊技球を検出する入賞検出手段と、該入賞検出手段による遊技球の検出に応じて所定数の遊技球を払い出す球払出手段と、所定条件の成立に基づいて遊技者に利益を付与すべきか否かの判定を行う当落判定手段と、該当落判定手段によって当選判定がなされたことに基づいて遊技者に利益を付与する利益付与状態に制御する利益付与状態制御手段と、遊技に伴う演出を行う演出手段と、前記当落判定手段の判定結果に基づいて前記演出手段による演出を制御する演出制御手段と、前記演出手段による所定の演出態様に応じて、電気的駆動源の駆動に基づき遊技者に視認可能に動作する可動体と、を備えた遊技機であって、前記可動体は、遊技者が指触可能に構成されて前記電気的駆動源の駆動状態においても遊技者の指触によって停止／逆行が可能であると共に、当該可動体の動作を検出するための動作検出手段が設けられ、前記演出制御手段は、前記動作検出手段による前記可動体の動作検出に基づいて複数の選択肢のうちいずれかを遊技者に選択させる選択演出を前記演出手段で実行する選択演出制御手段を含み、前記遊技機は、前記選択演出の実行時に、予め定めた選択方法で前記複数の選択肢のうちいずれかの選択肢を遊技者による前記可動体の指触操作を代行して選択すべく、前記電気的駆動源を駆動制御して前記可動体を動作させる選択代行動作制御手段を備え、該選択代行動作制御手段は、前記可動体の動作中に遊技者による当該可動体の指触操作が前記動作検出手段によって検出されると、遊技者による前記可動体の指触操作を優先すべく、前記電気的駆動源の駆動を停止する操作優先制御手段を含むことを特徴とする。
この場合、所定条件の成立に基づく当落判定手段の当落判定において当選判定がなされると、利益付与状態制御手段によって利益付与状態に制御して遊技者に利益を付与するという遊技内容にできる。また、このような遊技内容となる遊技機において、演出手段による所定の演出態様に応じて視認可能に動作する可動体が遊技者の指触可能に設けられるので、電気的駆動源の駆動に基づいた可動体の動きを遊技者自体が直接体感することができ、ひいては可動体の動きに対する興趣の低下を抑制することができる。また、指触可能な可動体の動きを動作検出手段で検出可能に設け、その動作検出手段による可動体の動作検出、言い換えれば遊技者の意思に基づいた可動体の指触操作に応じて、演出手段の演出内容に影響を与える制御、具体的には、演出手段の選択演出で選択肢を決定する制御を行うので、遊技機の動作に遊技者の意思が介入するという斬新な遊技性を生じさせることができる。
また、この構成によれば、演出手段による選択演出の実行時に、遊技者が可動体を指触操作することなく、予め定めた選択方法で選択肢を代行して選択するようになっている。このため、選択演出時に可動体を指触操作することが面倒な作業であると思うような遊技者に対して、そのような操作を強いることがなく、快適な遊技内容を提供することができる。
【手続補正４】
【補正対象書類名】明細書
【補正対象項目名】０００７
【補正方法】変更
【補正の内容】
【０００７】
（解決手段４）
解決手段１乃至解決手段３において、前記選択代行動作制御手段による選択代行を実行するか否かを遊技者の意思に応じて決定する選択代行決定手段を備える。
この場合、選択演出が実行される以前に選択代行決定手段の決定に基づいて、可動体による選択操作を代行するか否かを決定しておくことができるので、可動体を操作する意思が遊技者にあるか否かを明確にした状態で遊技を進行させることができ、ひいては、可動体の指触操作を楽しみに思う遊技者、及び可動体の指触操作を楽しみに思わない遊技者、全ての遊技者に対して快適な遊技内容を提供することができる。
【手続補正５】
【補正対象書類名】明細書
【補正対象項目名】０００８
【補正方法】変更
【補正の内容】
【０００８】
（解決手段５）
解決手段１乃至解決手段４において、前記選択代行動作制御手段は、前記選択演出の実行時における検出有効期間内で前記動作検出手段による動作検出がない場合、前記予め定めた選択方法で選択代行を行う。
この場合、動作検出手段による動作検出、言い換えれば、遊技者の可動体による選択操作に対して検出有効期間を設け、該検出有効期間内に選択操作が行われないときは、予め定めた選択方法で選択代行を行うようになっているので、選択演出をスムーズに進行させることができる。
【手続補正６】
【補正対象書類名】明細書
【補正対象項目名】０００９
【補正方法】変更
【補正の内容】
【０００９】
（解決手段６）
解決手段１乃至解決手段４において、前記選択代行動作制御手段は、前記選択演出の実行時における検出有効期間内で前記動作検出手段による動作検出がない場合、当該選択演出以前に実行された複数回の選択演出において、前記電気的駆動源の非駆動時での前記動作検出手段による動作の検出割合が所定割合よりも高いか否かを判定する動作割合判定手段と、該動作割合判定手段により前記検出割合が前記所定割合よりも高いと判定されると、前記動作検出手段による操作の検出有効期間を延長する有効期間延長手段と、を含む。
この場合、選択代行決定手段によって選択代行することが決定されているにも拘わらず選択演出の実行時に遊技者による可動体の選択操作がないときは、当該選択演出以前に実行された複数回の選択演出での動作検出手段による動作の検出割合、言い換えれば、遊技者によって可動体が操作された割合が所定割合よりも高いか否かを判定する。そして、動作検出手段による動作の検出割合が所定割合よりも高い場合は、選択演出において比較的頻繁に可動体を操作する遊技者であると判断し、遊技者の選択操作に対して猶予を持たせるべく検出有効時間を延長する。これにより、可動体の操作を楽しみに思う遊技者に対して検出有効時間を長引かせることで、ユーザーニーズに応じた遊技内容とすることができる。
【手続補正７】
【補正対象書類名】明細書
【補正対象項目名】００１０
【補正方法】変更
【補正の内容】
【００１０】
（解決手段７）
解決手段１乃至解決手段６において、前記選択代行動作制御手段は、前記複数の選択肢のうち予め決まった特定の選択肢を選択することを前記予め定めた選択方法として選択代行を行う。
この場合、選択演出の実行時に選択肢を代行して選択する場合、複数の選択肢のうち予め決まった特定の選択肢を代行して選択する構成にできるので、いずれの遊技者に対しても平等な態様で選択代行を実行することができる。
【手続補正８】
【補正対象書類名】明細書
【補正対象項目名】００１１
【補正方法】変更
【補正の内容】
【００１１】
（解決手段８）
解決手段１乃至解決手段６において、前記選択代行動作制御手段は、前記複数の選択肢のうち遊技者による選択割合が最も高い選択肢を選択することを前記予め定めた選択方法として選択代行を行う。
この場合、選択演出の実行時に選択肢を代行して選択する場合、複数の選択肢のうち遊技者による選択割合が最も高い選択肢を代行して選択する構成にできるので、遊技者の選択傾向を反映させて選択代行を実行することができる。
【手続補正９】
【補正対象書類名】明細書
【補正対象項目名】００１２
【補正方法】変更
【補正の内容】
【００１２】
（解決手段９）
解決手段１乃至解決手段８において、前記可動体は、前記電気的駆動源としてのモータの駆動に基づいて回転動作を行うリング部材から構成される。
この場合、演出手段による所定の演出態様に応じてリング部材を回転動作させることで、演出手段の演出をより斬新に盛り上げることができる。
【手続補正１０】
【補正対象書類名】明細書
【補正対象項目名】００１３
【補正方法】変更
【補正の内容】
【００１３】
（解決手段１０）
解決手段９において、前記リング部材は、透光性の材料から形成され、その内部には前記リング部材を光装飾する発光手段が設けられる。
この場合、回転動作するリング部材の内部を発光手段で光装飾することができるので、リング部材に対する視覚的な興趣の低下をより一層抑制することができる。
【手続補正１１】
【補正対象書類名】明細書
【補正対象項目名】００１４
【補正方法】変更
【補正の内容】
【００１４】
本発明の請求項１においては、電気的駆動源の駆動に基づいて動作する可動体を備えた構成において、可動体の動きに対する興趣の低下を抑制することができ、なお且つ、斬新な遊技性を生じさせることができる。請求項２においては、可動体の動作中に遊技者による可動体の指触操作が動作検出手段によって検出されると、遊技者による可動体の指触操作を優先すべく、電気的駆動源の駆動を停止することができる。